(57)【要約】【課題】着座中に背中や腰を心地よくマッサージすると共に、楽な姿勢で太もも、膝裏、脹脛、足首等の脚部を広範囲に、かつ効率よくマッサージすることができるマッサージチェアーを提供する。【解決手段】内部にマッサージ具３を収容した背凭れ２と、該背凭れ２をモータにて角度調節自在に連結した座部４と、該座部４の先端に起伏自在に装着した、マッサージ具を収容した足載具５とを備えてなるマッサージチェアー１において、前記足載具５を前記座部４に対して前後方向に移動可能なスライド装置１０を装着した。前記スライド装置１０は、前記足載具５の底部に設けた一対の保持具１１と、該保持具１１内に収容したレール１３と、前記保持具１１の一方に装着した、前記保持具１１と前記レール１３とを固定またはスライド自在とする操作具２０とを備えてなる。【選択図】図１
0003117820.tif 000002
【実用新案登録請求の範囲】
【請求項１】
内部にマッサージ具を収容した背凭れと、該背凭れをモータにて角度調節自在に連結した座部と、該座部の先端に起伏自在に装着した、マッサージ具を収容した足載具とを備えてなるマッサージチェアーにおいて、前記足載具を前記座部に対して前後方向に移動可能なスライド装置を装着したことを特徴とするマッサージチェアー。
【請求項２】
前記スライド装置は、前記足載具の底部に設けた一対の保持具と、該保持具内に収容したレールと、前記保持具の一方に装着した、前記保持具と前記レールとを固定またはスライド自在とする操作具とを備えてなる請求項１記載のマッサージチェアー。
【考案の詳細な説明】
【技術分野】
【０００１】
本考案は、着座中に背中、腰および脚部をマッサージするマッサージチェアーにおいて、特に、脚部を広範囲に、かつ効果よくマッサージすることができるマッサージチェアーに関する。
【背景技術】
【０００２】
従来より、種々のタイプのマッサージチェアーが提案されており、そのような中でマッサージチェアに体脂肪計を取り付けることにより、マッサージによる肥満解消の効果を定量的に確認できるようにするものが提案されている（例えば、特許文献１参照）。
上掲特許文献１記載のマッサージチェアは、椅子に座った人の背中や腰を機械的に刺激してマッサージするアクチュエーターと、このアクチュエーターを制御するコントローラーと、人体に導電接触すべき電極を介して人体インピーダンスを測定する人体インピーダンス測定手段と、性別、年齢、身長、体重の個人データを入力する個人データ手段と、これら人体インピーダンスと個人データに基づいて体脂肪率を表示する体脂肪率表示手段と、を備えて成る。
【特許文献１】特開２０００−３４２６４４号公報（第１頁、図１）
【考案の開示】
【考案が解決しようとする課題】
【０００３】
しかしながら、上掲特許文献１記載のマッサージチェアに限らず、一般的に知られているマッサージチェアーにおいては、足置き部にて足先の足首や脹脛、また膝下や太もも等を広範囲にマッサージする際、身体を窮屈な状態に屈曲させたり、上半身を不自然に移動させなければならず、心地よいリラックス感や優れたマッサージ効果は得られなかった。
【０００４】
そこで本考案はこれまで以上に、着座中に背中や腰を心地よくマッサージすると共に、楽な姿勢で太もも、膝裏、脹脛、足首等の脚部を広範囲に、かつ効率よくマッサージすることができるマッサージチェアーを提供することにある。
【課題を解決するための手段】
【０００５】
上記課題を解決するために本考案のマッサージチェアーは、内部にマッサージ具を収容した背凭れと、該背凭れをモータにて角度調節自在に連結した座部と、該座部の先端に起伏自在に装着した、マッサージ具を収容した足載具とを備えてなるマッサージチェアーにおいて、前記足載具を前記座部に対して前後方向に移動可能なスライド装置を装着したことを特徴とするものである。
【０００６】
本考案のマッサージチェアーにおいては、前記スライド装置は、前記足載具の底部に設けた一対の保持具と、該保持具内に収容したレールと、前記保持具の一方に装着した、前記保持具と前記レールとを固定またはスライド自在とする操作具とを備えてなることが好適である。
【考案の効果】
【０００７】
本考案によれば、マッサージチェアーに、足載具を座部に対して前後方向に移動させることができるスライド装置を装着することで、着座中に楽な姿勢で太もも、膝裏、脹脛、足首等の脚部全体を効率よくマッサージすることができる。また、前記スライド装置は、前記足載具の底部に設けた一対の保持具と、該保持具内に収容したレールと、前記保持具の一方に装着した、前記保持具と前記レールとを固定またはスライド自在とする操作具とを備えることで、複雑な構造を必要とせず、足載具を所望の位置に容易にスライドすることができる。
【考案を実施するための最良の形態】
【０００８】
以下、本考案におけるマッサージチェアーの実施の形態を図面に基づいて説明する。
本考案のマッサージチェアー１は、背凭れ２と座部４と足載具５を備え、背凭れ２と座部４とは、モータにて角度調節自在に連結されている。座部４の両側面には湾曲状の肘載６が設置されている。また、足載具５には、スライド装置１０が装着されている。
【０００９】
背凭れ２は、リモコンＡを操作することにより、座部４の下部に装着したモータ（図示せず）にて、座部４に対して角度自在に起伏させることができる。
【００１０】
また、背凭れ２には、マッサージ具３が収容されている。リモコンＡを操作することで、マッサージ具３のローラを上下または左右方向に移動させて、背中や腰部を揉み解すことができる。
【００１１】
足載具５は、座部４の先端に起伏自在に連結されている。座部４と足載具５との間には、カバー材８が連結されている。足載具５は、着座時、両脚を配設するためのもので、座部４の底面に連結材１５を介して連結されている。これにより、ガス圧シリンダー７を伸縮させることで、足載具５を座部４に対して自在に折曲させることができる。また、足載具５内にはリモコンＡにて脚部をマッサージするマッサージ具（図示せず）が収容されている。
【００１２】
スライド装置１０は、足載具５の下方の両側面に装着されている。足載具５の下方には、なスライド装置１０が装着されている。スライド装置１０は、座部４に対して前後方向に移動可能なものであって、足載具５を手動により水平方向に移動させる。
【００１３】
スライド装置１０は、足載具５の底部に設けた一対の保持具１１と、かかる保持具１１内に収容したレール１３と、保持具１１の一方に装着した、保持具１１とレール１３とを固定またはスライド自在とする操作具２０とを備える。
【００１４】
保持具１１は、図３および図４に示すように断面コ字形の長尺状を呈しており、足載具５の底部に一対装着されている。また、保持具１１の一方の側面であって座部４の近傍には切込１２が設けられている。さらに、切込１２の上部には操作具２０が固定されている。
【００１５】
レール１３は、長尺状を呈しており、保持具１１内に収容されている。また、レール１３の一方の側面には、保持具１１と同形状の複数の切込１４が施されている。切込１４は５箇所設けることが好ましいが、これに限定されるものではない。
【００１６】
操作具２０は、操作具本体２１を保持具１１に連結する固定材２２と、係止具２３を切込１２、１４内に押し込むスプリング２４と、係止具２３を切込１２、１４内から抜き出す操作撮２５とを備える。
【００１７】
次に、スライド装置１０により足載具５を水平方向に移動させる方法を図２乃至図４に基づいて説明する。
図３の（ａ）は保持具１１とレール１３とを分離させた状態である。保持具１１の切込１２の上部には操作具２０が装着されている。また、レール１３の側面であって、保持具１１の切込１２が配設されている箇所に対応する箇所には、レール１３の切込１４が設けられている。
【００１８】
図３の（ｂ）と図４の（ａ）は保持具１１内にレール１３が収容されている状態を示すもので、操作具２０の係止具２３は、スプリング２４の付勢力により切込１２、１４内に配設されている。そのため、保持具１１とレール１３とが夫々係止具２３により係止された状態に保持されている。
【００１９】
足載具５を水平方向に移動させる場合、図４の（ｂ）に示すように、操作撮２５を上方に移行させ、係止具２３を切込１２、１４内から抜き出す。そのことにより、保持具１１とレール１３との係止状態が解除され、図３の（ｃ）に示すように、手動で足載具５を水平方向に移動させることができる。
【００２０】
足載具５を水平方向に移動させることにより、図２の（ｂ）に示すように、脹脛や足首等の脚の先方までマッサージすることができる。なお、レール１３には複数の切込１４が配設されているため、足載具５を移動させた後、操作撮２５を元の状態に戻すことで、足載具５を所望の箇所に固定させることができる。
【図面の簡単な説明】
【００２１】
【図１】本考案のマッサージチェアーの全体斜視図である。
【図２】（ａ）は前記マッサージチェアーの使用状態を示す側面図、（ｂ）は足載具を水平方向に移動させた状態を示す側面図を表す。
【図３】（ａ）は保持具とレールとが分離した状態、（ｂ）は保持具とレールとを係止した状態、（ｃ）は足載具を移動させた状態を夫々示す。
【図４】（ａ）はスライド装置において保持具とレールとを係止した状態、（ｂ）は保持具とレールとの係止を解除した状態を示す断面図を表す。
【符号の説明】
【００２２】
１    マッサージチェアー
２    背凭れ
３    マッサージ具
４    座部
５    足載具
６    肘載
７    ガス圧シリンダー
８    カバー
１０  スライド装置
１１  保持具
１２  切込
１３  レール
１４  切込
１５  連結材
２０  操作具
２１  操作具本体
２２  固定材
２３  係止具
２４  スプリング
２５  操作撮
【図１】
0003117820.tif 000003
【図２】
0003117820.tif 000004
【図３】
0003117820.tif 000005
【図４】
0003117820.tif 000006